(57)【特許請求の範囲】
【請求項１】
データをメモリする一対のメモリ手段と、このメモリ手段より読み出されたデータを記録するレコーダと、上記メモリ手段に対する書き込み、読み出しを制御すると共に、上記レコーダの動作モードをコントロールするコントローラとで構成され、
上記一対のメモリ手段から入力データが交互に振り分けられて書き込まれ、一方の書き込みがフルになると同時に、上記データはその時間軸を圧縮した状態で読み出されてスイッチング手段を介して上記レコーダに記録されると共に、
上記データの間欠記録時には上記レコーダをプリロールすることなく直ちに記録モードに遷移するようになされたことを特徴とするデータ記録装置。
【請求項２】
上記時間軸の圧縮は上記レコーダの記録レートに対する入力データの転送レートによって決定されることを特徴とする請求項１記載のデータ記録装置。
【請求項３】
プレーヤと、このプレーヤより再生されたデータをメモリする一対のメモリ手段と、上記メモリ手段に対する書き込み、読み出しを制御すると共に、上記プレーヤの動作モードをコントロールするコントローラとで構成され、
上記プレーヤから再生されたデータはスイッチング手段を介して上記一対のメモリ手段に交互に書き込まれ、上記書き込まれたデータはデータ記録時のデータ圧縮比によって決まるスピードに制御されながらデータの再生が行なわれると共に、
このデータ再生時には上記プレーヤをプリロールすることなく直ちに再生モードに遷移するようになされたことを特徴とするデータ再生装置。
【請求項４】
上記データ圧縮はデータ記録レートに対する入力データの転送レートによって決定されることを特徴とする請求項３記載のデータ再生装置。
【発明の詳細な説明】
【０００１】
【産業上の利用分野】
この発明は、コンピュータ用のバックアップデータやその他のディジタルデータを記録し、あるいは再生するデータ記録装置でありデータ再生装置であって、特にプリロールすることなくディジタルデータを記録あるいは再生できるようにしたものである。
【０００２】
【従来の技術】
コンピュータの処理データやバックアップ用のデータなど、各種のディジタルデータを記録する場合にはデータ記録装置を図１３のように動作させて使用することが多い。
【０００３】
同図Ａは記録すべき入力データである。この入力データはコンピュータのバックアップ用データであったりするので、殆どの場合間欠的な入力である。間欠的に入力された入力データに対してレコーダ（ディジタルＶＴＲなど）は同図Ｂのようにその動作モードが制御される。
【０００４】
データを記録するに際してはプリロールモードが実行されて、記録媒体である磁気テープが一旦所定長巻き戻しされてから再生され、テープスピードやドラム回転が安定してから入力データを記録している。即座に記録モードにすると記録トラックパターンの傾斜角などが一定しなくなり、再生時データを再生できなくなるからである。このプリロールモードはデータ記録の都度行なわれる。
【０００５】
ＶＴＲより記録データを再生する場合においてもこのプリロールモードが実行される。つまり、磁気テープに記録されたデータを間欠的に再生する場合、図１４Ａ，Ｂに示すように再生モードに移行する前には必ずプリロールモードを実行してテープスピードやドラム回転数を定速にしてからデータを再生するようにしている。即座に再生モードにしてもヘッドが正しくトラッキングできないからである。
【０００６】
【発明が解決しようとする課題】
このように従来では間欠的にデータを記録したり再生する場合には必ずプリロールを実行してテープスピードやドラム回転を安定させるようにしている。プリロール時間は機種によっても相違するが、２〜５秒程度かかる。プリロールは記録の都度あるいは再生の都度行なわれるものであるから、プリロール時間がデータを記録するためのトータル記録時間やデータ再生のためのトータル再生時間の短縮化を阻害する結果となっている。記録時間はできる限り短い方が好ましいし、データはできるだけ速く再生したいからである。
【０００７】
そこで、この発明はデータの記録時間、再生時間を短縮できるデータのデータ記録装置およびデータ再生装置を提案するものである。
【０００８】
【課題を解決するための手段】
上述の課題を解決するため、請求項１に記載した本発明においては、データをメモリする一対のメモリ手段と、このメモリ手段より読み出されたデータを記録するレコーダと、上記メモリ手段に対する書き込み、読み出しを制御すると共に、上記レコーダの動作モードをコントロールするコントローラとで構成され、
上記一対のメモリ手段から入力データが交互に振り分けられて書き込まれ、一方の書き込みがフルになると同時に、上記データはその時間軸を圧縮した状態で読み出されてスイッチング手段を介して上記レコーダに記録されると共に、
上記データの間欠記録時には上記レコーダをプリロールすることなく直ちに記録モードに遷移するようになされたことを特徴とするものである。
【０００９】
請求項３に記載した発明においては、プレーヤと、このプレーヤより再生されたデータをメモリする一対のメモリ手段と、上記メモリ手段に対する書き込み、読み出しを制御すると共に、上記プレーヤの動作モードをコントロールするコントローラとで構成され、
上記プレーヤから再生されたデータはスイッチング手段を介して上記一対のメモリ手段に交互に書き込まれ、上記書き込まれたデータはデータ記録時のデータ圧縮比によって決まるスピードに制御されながらデータの再生が行なわれると共に、
このデータ再生時には上記プレーヤをプリロールすることなく直ちに再生モードに遷移するようになされたことを特徴とするものである。
【００１０】
【作用】
信号を記録する場合にはまず記録すべき入力データの転送レートと、レコーダの記録レートとを考慮する必要がある。例えばレコーダの記録レートがこれから記録しようとする入力データの転送レートの２倍であるときは、入力データの１／２の時間で入力データをレコーダに記録できる。
【００１１】
そのため、この場合には図１のようにレコーダ１４の入力側に設けられたメモリ手段１２の読み出しがその書き込みの１／２の時間で済むようにコントロールされる。入力データ側からすると時間的に１／２以下に圧縮されたことになる。
【００１２】
圧縮されたこの入力データがレコーダ１４に記録される。レコーダ１４の記録モードは入力データの時間軸圧縮比に関係なくノーマルスピードである。
【００１３】
そして、この入力データを記録する場合であってもプリロールはしない。そのため、このときのテープ上の記録パターンは図３のようになる。
【００１４】
プリロールしたいときの記録パターンは図４のようにそのトラック傾斜角θは既記録パターンのトラック傾斜角と同一である。これに対してプリロールしないでデータを記録すると、記録開始直後はテープもドラム回転も共に低速であるため、記録トラックの傾斜角はスチル角θｓとほぼ同じであって、徐々に定速に近づくにつれ傾斜がゆるくなるため記録開始時点からプリロール時間が経過するとその傾斜角は一定（＝θｎ）になる。
【００１５】
再生時は例えばドラム回転数がノーマルスピードの２倍に制御される。そうすると、図５に示すように同じアジマスヘッドが同一の記録トラック（実線図示）を２度トレース（破線図示）することになるので、記録トラックの傾斜角がスチル角からノーマルの傾斜角まで一様に変化していても、各トラックに記録されたデータを正しく再生できる。ディジタルデータの場合、ほぼ半分以上再生できれば記録データを正しく復元できるから、２度のトレースによってデータを正しく再現できる。
【００１６】
図６に示すデータ再生装置２０にあっては例えばドラム回転数がノーマルスピードの２倍となるように制御される。そうすると、プリロールしながら記録された傾斜角が一定である図４に示すテープを再生する場合であっても、プリロールしないで記録された図３に示すような傾斜角が一様でないテープを再生する場合であっても、同一アジマスヘッドが同一トラックを１／２トラックピッチだけずれながら２度トレース（再生）することになる。
【００１７】
これによって再生開始直後にミストラッキングしながら再生したトラックからもデータを正しく再生できる。再生データはメモリ手段２４によってその時間軸が２倍に伸長されて読み出されて、記録前の時間軸に戻される。
【００１８】
【実施例】
続いて、この発明に係るデータ記録装置およびデータ再生装置の一例をデータ記録再生装置に適用した場合について、図面を参照して詳細に説明する。
【００１９】
図１はこの発明を適用したデータ記録装置１０の一例を示す要部の系統図である。データ記録再生装置の場合にはどのような転送レートの入力データが記録対象として供給されるか判らないので、通常はレコーダの記録レートの方が入力データの転送レート（データレート）よりも数倍高いものが使用される。したがってこのようなレコーダを使用する場合においては、入力データをレコーダの記録レートとなるまでストアするためのメモリ手段が必要になる。
【００２０】
そのため、入力端子ｉｎに供給された入力信号（記録すべき信号であってディジタル化されている）はメモリ手段１２に供給されて所定量ストアされる。メモリ手段１２はＲＡＭなどを使用できる。
【００２１】
メモリ手段１２はメモリコントローラ１６によってそのリード、ライトがコントロールされる。上述したように転送レートを記録レートに合わせるため、この発明ではデータ書き込み時の時間軸を圧縮して読み出す。例えば、入力データの転送レート（例：１０Ｍｂｐｓ）の２倍のデータレートがレコーダ１４の記録レート（例：２０Ｍｂｐｓ）であるときにはメモリ手段１２に書き込まれた入力データは書き込み時の２倍の速さで読み出される。時間軸で考えると入力データの時間軸が１／２に圧縮されて読み出されることになる。読み出し周波数は書き込み周波数の２倍のものが使用される。データの読み出しタイミングは図２Ａ〜Ｃのようにメモリへの書き込み容量がフル（一杯）になったときである。
【００２２】
読み出されたデータは直ちにレコーダ（図１のようなディジタルＶＴＲなど）１４に記録される。レコーダ１４の記録スピードはノーマルスピードであるが、従来から行なわれているプリロールは行なわず、直ちに記録が開始される（図２Ｄ）。このような記録処理が入力データが供給されるたびに行なわれる。
【００２３】
プリロールしないために磁気テープに記録されるトラックの記録パターンは図３のようになる。同図において区間（イ）は直前に書き込まれたデータによる記録パターンの最後の数トラックを示す。この区間（イ）においてもプリロールされないでデータは記録されるが、記録開始後少なくともプリロール期間（２〜５秒）を経過すればテープスピードもドラムの回転数も共に規定のスピードと周波数となる。その結果、区間（イ）における従来のトラック傾斜角θは規定の角度θｎとなる。
【００２４】
これに対し、区間（イ）の最後から記録され始める区間（ロ）における新たなデータにあってはプリロールモードを経ないで記録モードが実行されるためトラック傾斜角θが変化する。
【００２５】
すなわち、図３のようにデータの書き始めはトラック傾斜角θはスチル角θｓであって、次第に通常のトラック傾斜角θｎまで遷移する。因みに、プリロールを行なって記録したときの記録パターンを図４に示す。
【００２６】
図３に示すような傾斜角の異なるトラックに記録されたデータを読み出すため通常の手段（例えばダイナミックトラッキング手段）を用いた場合、このデータを読み出せるかと言えばそれは「ＮＯ」である。なぜならば、このように傾斜角θが変化するトラックにヘッドを追従させるにはθの変化幅が大き過ぎる。特に径小ドラムを使用した装置ではダイナミックトラッキングによる追従範囲が狭いからデータを正しく再生できない。また、編集点においてトラックの一部が消去されてしまうので、再生レベル（ＲＦレベル）を検出してダイナミックトラッキング（ＤＴ）ヘッドを追従させることができない。
【００２７】
このように傾斜角が変化するトラックを有する磁気テープを再生するには後述するように、ドラム回転数は記録時の２倍以上に制御される。そうすれば図５に示すように同一トラックを最低でも２度に亘りヘッドがトレースすることになる。実線のトラックは記録トラックであり、破線のトラックは２倍速再生による同一アジマスヘッドによるトラックパターンを示す。
【００２８】
したがって、アジマスの異なる一対のヘッドが１８０°対向配置されたとしてもトラックと同一のアジマスのヘッドで再生することによって、トレースの都度ヘッドが５０％以上のトラック領域をトレースするようになり、ミストラッキングであってもデータを正しく再生することができる。エラー訂正処理などを施せば一層正確である。入力データはその時間軸が圧縮して記録されているため、テープ使用量が従来よりも半分以下になり、その分経済的である。
【００２９】
図３に示すように区間（イ）と（ロ）の編集点において、区間（イ）の最後のトラックと区間（ロ）の始めのトラックにあって、区間（ロ）の最初のトラックによって区間（イ）の最後のトラックが一部消去されてしまうので、そのトラックに記録されたデータの再生Ｓ／Ｎが劣化する。Ｓ／Ｎ劣化を防止するには、記録時エラーコレクションの冗長度としてトラック１本分以上のコレクション能力を持たせておけばよい。このエラーコレクションによって、正しいデータに復調できるからである。
【００３０】
上述では記録時の２倍以上のドラム回転数で記録データを再生するようにしたが、ドラム回転数は記録時と同じ回転数とする代わりに、記録ヘッドの２倍以上のヘッド数を用いて記録データを再生するようにしてもよい。
【００３１】
プリロールモードを全く省くのではなく、プリロール時間を従来よりも数分の１だけ行なうことも可能である。これは特にバッテリーを電源とするポータブル記録装置などに適用できる。これは、プリロールをしない場合にはキャプスタンモータの加速時間を短くしなければならないためキャプスタンモータに対して立ち上がり時に大電力を供給しなければならないからである。そうすると、電力の消費が多くなり電源寿命が短くなってしまうからである。
【００３２】
続いて、この発明に係るデータ再生装置について図６以下を参照して説明する。図６はデータ再生装置２０の概念図であって、プレーヤ（ディジタルＶＴＲなど）２２はデータ記録装置１０において使用したディジタルＶＴＲを使用できる。したがって記録レートに対応した再生レートが出力データの転送レートの数倍のものが用いられる。プレーヤ２２の再生モードも上述の例では、ドラム回転数が記録時の２倍に制御され、データが通常の２倍速で再生される。
【００３３】
再生されたデータはメモリ手段２４に供給されて再生時の時間軸のままデータの書き込みが行なわれる。メモリ手段２４に対するデータの書き込みが終了すると、プレーヤ２２はポーズモード（若しくは停止モード）に制御されて再生待機モードとされると共に、その段階でメモリコントローラ２６からの読み出しアドレス発生によりデータの読み出しが行なわれる。このときの読み出しスピードは書き込み時の１／２となるようにその時間軸がコントロールされる。図７Ａ〜Ｃに示すように時間軸が２倍に伸張された再生データが得られる。この時間軸はデータそのものの時間軸である。
【００３４】
読み出しが終了すると、プレーヤ２２は再び再生モードに制御される。これらの再生モードにおいては通常行なわれるプリロールは行なわれず、テープ走行開始直後からデータの再生が行なわれる。データ再生時は２倍速制御であるためヘッドが正しくトラッキングされていないトレース状態でもデータが再生される。
【００３５】
すなわち、図４のように傾斜角が一定な通常記録（プリロールしながら記録）の場合でも、傾斜角が変わる図３のような特殊記録（プリロールしないで記録）の場合でもデータを正しく再生できる。これは、２倍速再生であるため、正しくトラッキングされない特殊記録のテープを再生する場合であっても図５破線図示のように同一記録トラック（実線図示）を２回トレースすることになり、アジマス角をもつ一対のヘッドによっても正しいデータの再現が可能である。このようにデータ再生スピードを速くすることによって傾斜角が一様ではない特殊記録のテープの場合であり、しかもプリロールしないで再生してもそのデータを正しく再現できる。
【００３６】
メモリ手段２４よりデータを読み出すに当たってはコントローラ２６からの指令で、その読み出し時間軸は書き込み時間軸の２倍に伸長されるから、これによってデータ記録前の時間軸に戻すことができる。
【００３７】
図９は連続した入力データをプリロールなしで高速に間欠記録できるデータ記録装置１０の一例を示すものであって、一対のメモリ手段１２Ａ，１２Ｂが設けられ、図１０Ａ〜Ｃに示すように入力データは交互に振り分けられて書き込まれ、一方の書き込みがフルになると同時に、例えば１／２に圧縮されて読み出され（同図Ｄ）、スイッチング手段４８を介してプリロールなしでレコーダ（ＶＴＲ）１４に記録される。この動作を交互に連続して行なえば連続した入力データをプリロールなしで高速に間欠記録でき、これによって記録作業時間の短縮を図れる。
【００３８】
このように図９のように構成すれば入力データが連続して供給される場合であっても、これを中断することなく順次間欠的に記録できる。これはプリロールしないでデータ記録要求の都度、これに即応して直ちにデータを記録するようにしているからである。従来のようにデータ記録の都度プリロールしていたのでは間欠記録の都度プリロール時間を必要とすることになるから、その時間（プリロール）をカバーできるだけの大容量のメモリが必要になり、ローコストの実現が難しかった。
【００３９】
図１１はプリロールなしでプレーヤ２２より再生されたデータを連続した出力データとするためのデータ再生装置２０の一例を示すもので、使用されるプレーヤ２２は上述したと同様な再生レートを有するものが使用されるものとする。
【００４０】
プリロールなしでプレーヤ２２から再生されたデータはスイッチング手段５２を介して一対のメモリ手段２４Ａ，２４Ｂに交互に書き込まれ（図１２Ａ〜Ｃ）、書き込まれたデータはその時間軸が２倍に伸長された状態で読み出される（同図Ｄ）。プレーヤ２２、スイッチング手段５２および一対のメモリ手段２４Ａ，２４Ｂはメモリコントローラ２６によってその全体がコントロールされる。この時間軸伸長処理によって間欠的に再生されたデータは連続データとして出力される。
【００４１】
この構成においても、プリロールしながら記録された傾斜角θが一定なテープでも、プリロールしないで記録された傾斜角θが異なるテープのいずれのテープに記録されたデータでも２倍速再生することによって正しく再生することができる。
【００４２】
再生データを連続させる場合にあっては、出力手段に設けられたメモリ手段２４Ａ，２４Ｂの書き込み、読み出しスピードをプレーヤ２２の速度に合わせる必要がある。それができないときはプレーヤ２２を間欠的に再生しなければならない。そうすると間欠再生の都度プリロールしなければならないので再生時間がかかってしまう。この点、この例ではプリロールなしで間欠再生できるため、トータルの再生時間を短縮できる。
【００４３】
【発明の効果】
以上説明したように、請求項１に係るデータ記録装置では入力データの転送レートとレコーダの記録レートによって決まる圧縮比で入力データを圧縮してレコーダに記録すると共に、プリロールしないでデータを記録するようにしたものである。これによれば、プリロール時間を省きながらデータを記録できるので記録時間の短縮を図れる。
【００４４】
請求項３に記載したデータ再生装置ではプリロールなしでデータを再生すると共に、再生時は記録されたデータの転送レートと出力転送レートの比に基づいてプレーヤの再生速度が制御されるようにしたものである。
【００４５】
これによればプリロールなしでデータを再生できるので、特に間欠的にデータを再生する必要があるときのデータ再生時間を大幅に短縮できる。しかも磁気テープに記録されたトラックパターンのトラック傾斜角が一定でない場合であって、ダイナミックトラッキングによってもミストラッキングを起こしてしまうようなときでも、この発明によれば記録データを正しく再生することができる。
【００４６】
したがって、この発明ではデータを間欠的に記録し、再生しなければならない種々の転送レートを有する入力データのデータ記録再生装置や、予め定まった転送レートのデータを記録、再生する電子的編集装置などに適用して極めて好適である。
【図面の簡単な説明】
【図１】この発明に係るデータ記録装置の一例を示す概念図である。
【図２】その動作説明図である。
【図３】プリロールしないで記録したときの記録パターンを示す図である。
【図４】プリロールして記録したときの記録パターンを示す図である。
【図５】再生時のトラック軌跡を示す図である。
【図６】この発明に係るデータ再生装置の一例を示す概念図である。
【図７】その動作説明図である。
【図８】再生時のトラック軌跡を示す図である。
【図９】この発明に係るデータ記録装置の他の例を示す図１と同様な系統図である。
【図１０】その動作説明図である。
【図１１】この発明に係るデータ再生装置の他の例を示す図６と同様な系統図である。
【図１２】その動作説明図である。
【図１３】従来から行われているプリロールを行って記録する説明図である。
【図１４】従来から行われているプリロールを行って再生する説明図である。
【符号の説明】
１０  データ記録装置
１２，１２Ａ，１２Ｂ  メモリ手段
１４，レコーダ
１６  メモリコントローラ
２０  データ再生装置
２２  プレーヤ
２４，２４Ａ，２４Ｂ  メモリ手段
２６  メモリコントローラ
【図１】
0003620546.tif 000002
【図２】
0003620546.tif 000003
【図３】
0003620546.tif 000004
【図４】
0003620546.tif 000005
【図５】
0003620546.tif 000006
【図６】
0003620546.tif 000007
【図７】
0003620546.tif 000008
【図８】
0003620546.tif 000009
【図９】
0003620546.tif 000010
【図１０】
0003620546.tif 000011
【図１１】
0003620546.tif 000012
【図１２】
0003620546.tif 000013
【図１３】
0003620546.tif 000014
【図１４】
0003620546.tif 000015